(57)【要約】      （修正有）【課題】視覚情報を読めるようにする個人用電子デバイスを提供する。【解決手段】ヒンジ１５で接続された２つの部分のうちの一方の内側には、第１のモニタＡがあり、他方の部分の内側には、マルチメディア情報を表示する第２のモニタＢがある。ユニットの第１の部分は、電源１と、電話無線ネットワークのための少なくとも１つの受信モジュール８とを備える。ユニットの第２の部分は、少なくとも１つの周辺デバイスとのデータ交換のための少なくとも１つのインタフェース２と、マイクロプロセッサ３と、ユニットの部分の対話を整理するためのデバイス（チップセット）４と、メインメモリユニット５と、加速度ゲージ６と、対応する１つの受信モジュールに対する少なくとも１つのインタフェースとの信号送受信のためのステーション７とを備える。【選択図】図１
0003180712.tif 000002
【実用新案登録請求の範囲】
【請求項１】
ヒンジ接続された２つの部分を有するユニットを備える電子ブックであって、２つの部分のうちの一方の内側に、電子ペーパ技術によって設計された、情報を配置するためのモニタ（Ａ）があり、他方の部分の内側に、抵抗性ＴＦＴディスプレイ技術によって設計された、マルチメディア情報を表示する第２のモニタ（Ｂ）があり、ユニットの、内側に第１のモニタ（Ａ）のある第１の部分がさらに電源（１）と、電話無線ネットワークのための少なくとも１つの受信モジュール（８）とを備え、前記ユニットの、内側に第２のモニタ（Ｂ）のある第２の部分が、少なくとも１つの周辺デバイスとのデータ交換のための少なくとも１つのインタフェース（２）と、マイクロプロセッサ（３）と、前記ユニット部分の対話を整理するデバイス（チップセット）（４）と、メインメモリユニット（５）と、加速度ゲージ（６）と、対応する１つの受信モジュールに対する少なくとも１つのインタフェースとの信号送受信のステーション（７）とを備え、前記ステーションが、電話無線ネットワークを介して交換される信号、及び／又は衛星ネットワークの信号に対応するように設計され、他に、前記電子ブックがさらに内部カメラ（９）と、ＬＥＤフラッシュ付き前部カメラ（１０）と、ラウドスピーカ（１１）と、マイクロホン（１２）と、前記モニタ上で別々に情報制御するための、前記両方のユニット部分上に位置するキー（１３、１４）と、容量性モジュール（Ｃ）と、容量性モジュール制御インタフェース（Ｄ）とを備え、前記内部カメラ（９）、容量性モジュール（Ｃ）、及び容量性モジュール制御インタフェース（Ｄ）が、ユニットの前記第１の部分の内側に位置し、ＬＥＤフラッシュ付き前部カメラ（１０）が、ユニットの前記第２の部分の内側に位置し、前記ラウドスピーカ（１１）及びマイクロホン（１２）が、前記ユニットの２つの部分のヒンジ接続（１５）中に位置する、電子ブック。
【請求項２】
ヒンジ接続の存在により変化し、ユニットの部分の相互位置が９０度、１８０度、２７０度、及び３６０度に変更されるようにする、請求項１に記載の電子ブック。
【考案の詳細な説明】
【技術分野】
【０００１】
この実用的なモデルは、視覚情報を読むための個人用電子デバイスの領域に関するものである。
【背景技術】
【０００２】
技術レベルでは、対話式の電子ブックには、その直接的な機能である読むことの他に様々なプロセスを実現するように設計された、広く知られた種々のモデルがある。特に、これらのプロセスは、他のユーザと情報を交換できること、インターネットから情報を受け取れること、種々のアプリケーションを使用できることなどである。
【０００３】
すなわち、ある電子ブック（ロシア特許第２１３６０５３号明細書、１９９９／０８／２７、Ｇ０９  Ｂ  ５／００から知られる）は、データ媒体データ入力デバイスを有し、２つのヒンジフラットカバーからなり（「ケース」式バッグに類似する）、両方のカバーの内側にビデオモニタ画面が位置する。
【０００４】
この電子ブックの欠点は、制御デバイスがこのアイテム用に設計されていないため、データ媒体上に配置された情報しか表示できないことである。すなわち、２つの画面上に表示可能な情報を含むデータ媒体がデータ入力デバイスに挿入され、情報を変えるにはデータ媒体を変える必要がある。
【０００５】
類似の解決法が、ロシア特許第２１８０４５４号明細書、２００２／０３／１０、Ｇ０９  Ｂ  ５／００から知られるが、この特許では、電子ブックが情報入力表示ユニットのブロックを備え、２つの液晶画面がブロックのヒンジカバーの内側に位置する。このデバイスは、プロセッサと、動作可能なメモリ装置と、固定部材デバイスと、コマンド入力ユニットとを備え、これらはバスと接続される。情報入力ユニットはＣＤ読取デバイスの形で構築され、コマンド入力ユニットは、ブロックのカバーの内側の画面下に位置する少なくとも２つの制御ボタン「進む」及び「戻る」を含む。
【０００６】
ロシア実用新案第６０８１号明細書、１６／０２／１９９８、Ｇ０９  Ｆ  ９／３５に対する証明書により、電子ブックが登録された。このデバイスは、入力がブックの第１の情報入力である、データ媒体読取用ブロックと、入力がブックの第２の情報入力である、情報受信ブロックとを備える。データ媒体読取ブロックの出力、及び情報受信ブロックの出力は、リーディング制御ブロックデータのバスに接続され、このバスの出力はリーディングブロックに接続される。
【０００７】
このブックには無線ブロードキャストデバイスが装備され、無線ブロードキャストデバイスの入出力が、ブックの第３の情報入力である。出力は再生制御ブロックデータのバスに接続され、情報受信ブロックは、ユニバーサル遠隔通信網との双方向情報交換ができることを考慮に入れて設計されている。
【０００８】
この電子ブックの欠点は、その複雑さである。
【０００９】
情報入出力デバイスと、種々のボリュームレベルのメモリと、種々の表示装置と、制御プロセッサと、制御ボタン（キーボード）と、電源とを備えるポータブルコンピュータであって、ユーザの需要に応じてアプリケーション用の種々のプログラムを有するポータブルコンピュータとして一般に設計された、電子ブックが知られている（米国特許第５４５４０７８号明細書、３１．０５．１９９４、イギリス特許第２１９４９５５４号明細書、０６．０８．１９８８、イギリス特許第２１９８２８６号明細書、０８／０６／１９８８、１２／０６／８５、国際公開第００／１３１５９号パンフレット、０９．０３．２０００）。
【００１０】
これらのデバイスの欠点の中には、多機能性に関係するこれらのデバイスの複雑さがある。全ての標準的な類似のデバイスと同様、いかなるコンピュータも、情報入力のために設計されたキーボードなしには機能しないであろう。
【００１１】
その基礎においてより近づきやすく、可能性のある技術的結果は、証明書（ロシア実用新案第９５１５５号明細書、１０．０６．２０１０、Ｇ０９  Ｂ５／００）に記載の電子ブックである。このデバイスは、接続された２つの可動カバーを有するケースを備え、２つのカバーのうちの一方の内側に、第１の表示装置がある。
【先行技術文献】
【特許文献】
【００１２】
【特許文献１】ロシア特許第２１３６０５３号明細書
【特許文献２】ロシア特許第２１８０４５４号明細書
【特許文献３】ロシア実用新案第６０８１号明細書
【特許文献４】米国特許第５４５４０７８号明細書
【特許文献５】イギリス特許第２１９４９５５４号明細書
【特許文献６】イギリス特許第２１９８２８６号明細書
【特許文献７】国際公開第００／１３１５９号パンフレット
【特許文献８】ロシア実用新案第９５１５５号明細書
【考案の概要】
【考案が解決しようとする課題】
【００１３】
請求する有用なデバイスの技術的結果は、請求する電子ブックの機能的な能力が拡張されることであり、その情報提供性とその快適な使い易さとが同時に向上する（使い勝手の良さが向上する）ことである。
【００１４】
複合対話式コンテンツ（ＣＩＣ、compound interactive content）は、提示されるコンテンツの境界内で、種々のタイプの情報性質（テキスト、マルチメディア、及び対話式）と、それらの対話の構造（ユーザのアクションに応じた、構造及び／又は概念の変化）とを提示する、情報の様々な対話式ソースを意味する。複合対話式コンテンツは、対話式の本、雑誌、マニュアル、カタログ、並びに、他の現代の形の、情報の構造／提示及び情報との対話を含む。
【００１５】
ＣＩＣを表示することは、コンテンツのあらゆる要素を表示すること、全てのコンテンツの組織的構造を再現すること、及び、コンテンツとの対話式相互作用を提供することを意味する。
【００１６】
ＣＩＣを編集することは、デバイス中に、及び／又はデバイスに接続された外部メディア担体中に配置された一定のマルチメディアリソース間の対話に必要な、全ての必要機能を提供すること、並びに、全てのマルチメディアリソース複合体構造を提供することを意味する。
【００１７】
ＣＩＣを生み出すことは、一定のマルチメディアリソース及びその複合体を生成して、その後で複合対話式コンテンツを得るために編集することを可能にする、全ての必要な機能及びデバイスコンポーネントを提供することを意味する。
【課題を解決するための手段】
【００１８】
示された課題は、ヒンジ接続された２つの部分を有するユニットをこの電子ブックが備えることによって解決される。２つの部分のうちの一方の内側には、電子ペーパ技術に従って設計された、情報を配置するための第１のモニタ（Ａ）がある。第２の部分の内側には、抵抗性ＴＦＴモニタの技術に従って設計された、マルチメディア情報を再生する第２のモニタ（Ｂ）が配置される。ユニットの、内側に第１のモニタ（Ａ）のある第１の部分はまた、電力供給源（１）と、電話無線ネットワークのための少なくとも１つの受信モジュール（８）とを備える。ユニットの、内側に第２のモニタ（Ｂ）のある第２の部分は、少なくとも１つの周辺デバイスとのデータ交換のための少なくとも１つのインタフェース（２）と、マイクロプロセッサ（３）と、ユニットの部分間の対話を整理するためのデバイス（チップセット）（４）と、メインメモリユニット（５）と、加速度ゲージ（６）と、対応する１つの受信モジュールに対する少なくとも１つのインタフェースとの信号送受信ステーション（７）とを備える。このステーションは、電話無線ネットワークによって交換される信号、及び／又は衛星ネットワークの信号に対応するように設計されている。この他に、電子ブックは、内部カメラ（９）と、ＬＥＤフラッシュ付き前部カメラ（１０）と、ラウドスピーカ（１１）と、マイクロホン（１２）と、モニタ上の情報を別々に制御するための、両方のユニット部分上に位置するキー（１３、１４）と、容量性モジュール（Ｃ）と、容量性モジュール制御インタフェース（Ｄ）とを備える。さらに、内部カメラ（９）、容量性モジュール（Ｃ）、及び容量性モジュール制御インタフェース（Ｄ）は、ユニットの第１の部分の内部に位置し、ＬＥＤフラッシュ付き前部カメラは、第２のユニット部分の内部に位置し、ラウドスピーカ（１１）及びマイクロホン（１２）は、ユニットの２つの部分のヒンジ接続（１５）中に配置される。
【００１９】
好ましい方式では、ヒンジ接続は、ユニットの部分の相互位置が９０度、１８０度、２７０度、及び３６０度に変更されるようにする。
【００２０】
上述した範囲の一般的な特徴によってもたらされる追加の技術的結果は、必要な又は渡された情報を素早く見つけることができること、並びに、その抽出が単純であることにある。
【図面の簡単な説明】
【００２１】
実用新案を、図によって提示する。
Ａ−電子ペーパ技術により設計された第１のモニタ
Ｂ−抵抗性ＴＦＴディスプレイ技術により設計された第２のモニタ
Ｃ−容量性モジュール
Ｄ−容量性モジュール制御インタフェース
１−電力供給源
２−データ交換インタフェース
３−マイクロプロセッサ
４−ユニットの部分の対話を整理するためのデバイス（チップセット）
５−メインメモリユニット
６−加速度ゲージ
７−信号送受信ステーション
８−電話無線ネットワークのための受信モジュール
９−内部カメラ
１０−ＬＥＤフラッシュ付き前部カメラ
１１−ラウドスピーカ
１２−マイクロホン
１３−モニタＡ上の情報を別々に制御するためのキー
１４−モニタＢ上の情報を別々に制御するためのキー
１５−可動ヒンジ接続
【考案を実施するための形態】
【００２２】
電子ブックは、接続された２つの可動部分を有する軸を備える。可動ヒンジ接続が、これらの部分の相互位置が９０度、１８０度、２７０度、及び３６０度に変更されるようにする（図２）。
【００２３】
ユニットの部分のうちの一方の内側には、電子ペーパ技術に従って作られた、テキスト及びグラフィック情報を配置するための第１のモニタ（Ａ）（図１）と、電源（１）とがある。
【００２４】
ユニットの他方の部分の内側には、マルチメディア情報を表示する、カラー画面を有するモニタ（Ｂ）と、周辺デバイスからの受信データを受信及び記憶する働きをする、少なくとも１つの周辺デバイスとのデータ交換のための少なくとも１つのインタフェース（２）と、マイクロプロセッサ（３）と、ユニットの部分間の対話を整理するためのデバイス（チップセット）（４）と、メインメモリユニット（５）と、加速度ゲージ（６）とがある。
【００２５】
ユニットの第１の部分のモニタ（Ａ）は、電子ペーパ技術によって設計され、モニタ（Ａ）には、容量性タッチセンシティブ画面としての機能をこのモニタに提供する容量性モジュール（Ｃ）が備わる。ユニットの第１の部分にはまた、容量性モジュール制御インタフェース（Ｄ）が備わる。電子ペーパ技術と容量性タッチセンシティブ画面技術との組合せにより、スタイラス制御及び強制フィンガキー制御のための条件を生み出すことができる。
【００２６】
ユニットの第２の部分のモニタ（Ｂ）は、抵抗性ＴＦＴディスプレイの技術によって設計され、これにより、同時のタッチセンシティブ／フィンガキー制御及びスタイラス制御を実現することができる。
【００２７】
モニタ寸法は、標準的な印刷された本のページの寸法に対応する（対角線１０インチ以上）。これにより、デバイスを従来の「紙」の本として快適に使用することが保証される。
【００２８】
この他に、電子ブックデバイスは、対応する１つの受信モジュールに対する少なくとも１つのインタフェースとの、無線ネットワークを介した信号送受信のためのステーション（７）と、電話ネットワークのための少なくとも１つの受信モジュール（８）とを備える。ステーションは、電話無線ネットワークを介して交換される信号、及び／又は衛星ネットワーク信号に対応するように設計されている。電子ブックはまた、２つのカメラ、すなわち、ユニットの第１の部分に位置する内部カメラ（９）と、ＬＥＤフラッシュが備わりユニットの第２の部分に位置する前部カメラ（１０）とを備える。ユニットの２つの部分のヒンジ接続中には、ラウドスピーカ（１１）及びマイクロホン（１２）がある。各ユニット部分には、モニタ上の情報を別々に制御するためのキー（１３、１４）が備わる。
【００２９】
タッチセンシティブ画面は、制御デバイスとなるように設計される。ユニットの各部分のモニタ（Ａ及びＢ）は、この入力デバイスによって供給を受ける。各モニタ（Ａ及びＢ）上で、情報入力及びデバイス制御を、仮想キーボード及びスタイラスによって行うことができる。第１の部分のモニタ（Ａ）上で、スタイラスによって手書きテキスト入力が行われる。手書きテキスト入力を快適に使用するために、モニタには、容量性モジュール制御のインタフェース（Ｄ）が備わり、スタイラスによって書いている過程では容量性モジュール（Ｃ）をオフにすることができる。これにより、画面に手が触れても画面は反応しないことが保証される。このことは、ユーザがタイプ入力中に手を画面上に自由に置くことが要求される、大きなテキストの手書き入力の場合に、特に重要である。情報の印刷入力使用のために、容量性モジュール制御インタフェース（Ｄ）は、容量性モジュール（Ｃ）をアクティブ状態に移行させること、及び、表示装置（Ａ）上で仮想キーボード機能を提供することを可能にする。
【００３０】
各部分との制御調整デバイス（４）と、加速度ゲージ（６）とがあることにより、容量性モジュール（Ｃ）がアクティブ体制にある間にモニタ（Ｂ）を必要な位置の方に向けることができる。したがって、仮想キーボード表示装置（Ｂ）及び電子ブック使用の人間工学的条件が可能である。
【００３１】
ユニットの第２の部分のタッチセンシティブモニタ（Ｂ）は、手指とスタイラスとによるマルチメディア情報入力及び制御を同時に提供することを可能にする。また、対話タイプの情報を扱っている間に完全なマルチタッチ機能を使用することを可能にする。
【００３２】
他の電子ブックと比較した、請求する電子ブックの利点は、以下のことが可能であることにある。
１）外部ソース（外部データ媒体、インターネット）の検索と、再生と、任意の対話式情報ソースとの対話式調整とを含めた機能をデバイスの各部分の間で分けて、複合対話式コンテンツ（様々なテキスト、マルチメディア、及び対話式情報を提示する、本、雑誌、マニュアル、カタログなど）を本格的に扱うことを実現することができる。
２）編集ツール（種々のマルチメディア情報要素を外部データ媒体からデバイスに配置すること、及び、これらの要素間の対話）を介して、並びに、デバイス自体のツール（２通りのテキスト情報入力（手書き及び印刷）、写真やオーディオビデオ情報などをデバイス自体の中で生成すること、及びこれらの間の接続の整理）を介して、複合対話式コンテンツを助けなしに生み出すための全ての必要な機能を供給することができる。
３）現代のデバイスの最も一般的な特徴、すなわち可搬性、経済性、及び自足性を提供することができる。
【００３３】
可搬性の品質は、以下のような、デバイスの構成上の利点によって実現される。
−デバイスを閉じた位置で２つのモニタが保護された状態にあり、デバイスを開いた位置でモニタがコンパクトな位置にあるようにするヒンジ接続の存在。
−従来の「紙」の本の寸法に適うデバイス寸法の使用。
−固定した電力供給源がない場合にデバイス機能を提供できるようにする、電力要素の存在及び位置。
【００３４】
経済性の品質は、デバイスの表示装置（Ａ）に電子ペーパ技術を使用することによって実現される。
【００３５】
自足性の品質は、複合対話式コンテンツの入出力及び再生の全てのコンポーネントがデバイス自体の中にあることによって実現される。すなわち以下のとおりである。
−２通りのデバイス制御及び情報入力（スタイラス及び／又は仮想キーボードによる）を提供するコンポーネントの存在。
−マルチメディア情報表示のためのコンポーネント（抵抗性ＴＦＴディスプレイ技術によって設計されたモニタ（Ｂ）と、ラウドスピーカ）の存在。
−マルチメディア情報生成のためのコンポーネント（フォトビデオカメラ、マイクロホン）の存在。
【図１】
0003180712.tif 000003
【図２】
0003180712.tif 000004
【手続補正書】
【提出日】平成24年11月28日(2012.11.28)
【手続補正１】
【補正対象書類名】明細書
【補正対象項目名】全文
【補正方法】変更
【補正の内容】
【考案の詳細な説明】
【技術分野】
【０００１】
この実用的なモデルは、視覚情報を読むための個人用電子デバイスの領域に関するものである。
【背景技術】
【０００２】
技術レベルでは、対話式の電子ブックには、その直接的な機能である読むことの他に様々なプロセスを実現するように設計された、広く知られた種々のモデルがある。特に、これらのプロセスは、他のユーザと情報を交換できること、インターネットから情報を受け取れること、種々のアプリケーションを使用できることなどである。
【０００３】
すなわち、ある電子ブック（ロシア特許第２１３６０５３号明細書、１９９９／０８／２７、Ｇ０９  Ｂ  ５／００から知られる）は、データ媒体データ入力デバイスを有し、２つのヒンジフラットカバーからなり（「ケース」式バッグに類似する）、両方のカバーの内側にビデオモニタ画面が位置する。
【０００４】
この電子ブックの欠点は、制御デバイスがこのアイテム用に設計されていないため、データ媒体上に配置された情報しか表示できないことである。すなわち、２つの画面上に表示可能な情報を含むデータ媒体がデータ入力デバイスに挿入され、情報を変えるにはデータ媒体を変える必要がある。
【０００５】
類似の解決法が、ロシア特許第２１８０４５４号明細書、２００２／０３／１０、Ｇ０９  Ｂ  ５／００から知られるが、この特許では、電子ブックが情報入力表示ユニットのブロックを備え、２つの液晶画面がブロックのヒンジカバーの内側に位置する。このデバイスは、プロセッサと、動作可能なメモリ装置と、固定部材デバイスと、コマンド入力ユニットとを備え、これらはバスと接続される。情報入力ユニットはＣＤ読取デバイスの形で構築され、コマンド入力ユニットは、ブロックのカバーの内側の画面下に位置する少なくとも２つの制御ボタン「進む」及び「戻る」を含む。
【０００６】
ロシア実用新案第６０８１号明細書、１６／０２／１９９８、Ｇ０９  Ｆ  ９／３５に対する証明書により、電子ブックが登録された。このデバイスは、入力がブックの第１の情報入力である、データ媒体読取用ブロックと、入力がブックの第２の情報入力である、情報受信ブロックとを備える。データ媒体読取ブロックの出力、及び情報受信ブロックの出力は、リーディング制御ブロックデータのバスに接続され、このバスの出力はリーディングブロックに接続される。
【０００７】
このブックには無線ブロードキャストデバイスが装備され、無線ブロードキャストデバイスの入出力が、ブックの第３の情報入力である。出力は再生制御ブロックデータのバスに接続され、情報受信ブロックは、ユニバーサル遠隔通信網との双方向情報交換ができることを考慮に入れて設計されている。
【０００８】
この電子ブックの欠点は、その複雑さである。
【０００９】
情報入出力デバイスと、種々のボリュームレベルのメモリと、種々の表示装置と、制御プロセッサと、制御ボタン（キーボード）と、電源とを備えるポータブルコンピュータであって、ユーザの需要に応じてアプリケーション用の種々のプログラムを有するポータブルコンピュータとして一般に設計された、電子ブックが知られている（米国特許第５４５４０７８号明細書、３１．０５．１９９４、イギリス特許第２１９４９５５４号明細書、０６．０８．１９８８、イギリス特許第２１９８２８６号明細書、０８／０６／１９８８、１２／０６／８５、国際公開第００／１３１５９号パンフレット、０９．０３．２０００）。
【００１０】
これらのデバイスの欠点の中には、多機能性に関係するこれらのデバイスの複雑さがある。全ての標準的な類似のデバイスと同様、いかなるコンピュータも、情報入力のために設計されたキーボードなしには機能しないであろう。
【００１１】
その基礎においてより近づきやすく、可能性のある技術的結果は、証明書（ロシア実用新案第９５１５５号明細書、１０．０６．２０１０、Ｇ０９  Ｂ５／００）に記載の電子ブックである。このデバイスは、接続された２つの可動カバーを有するケースを備え、２つのカバーのうちの一方の内側に、第１の表示装置がある。
【先行技術文献】
【特許文献】
【００１２】
【特許文献１】ロシア特許第２１３６０５３号明細書
【特許文献２】ロシア特許第２１８０４５４号明細書
【特許文献３】ロシア実用新案第６０８１号明細書
【特許文献４】米国特許第５４５４０７８号明細書
【特許文献５】イギリス特許第２１９４９５５４号明細書
【特許文献６】イギリス特許第２１９８２８６号明細書
【特許文献７】国際公開第００／１３１５９号パンフレット
【特許文献８】ロシア実用新案第９５１５５号明細書
【考案の概要】
【考案が解決しようとする課題】
【００１３】
請求する有用なデバイスの技術的結果は、請求する電子ブックの機能的な能力が拡張されることであり、その情報提供性とその快適な使い易さとが同時に向上する（使い勝手の良さが向上する）ことである。
【００１４】
複合対話式コンテンツ（ＣＩＣ、compound interactive content）は、提示されるコンテンツの境界内で、種々のタイプの情報性質（テキスト、マルチメディア、及び対話式）と、それらの対話の構造（ユーザのアクションに応じた、構造及び／又は概念の変化）とを提示する、情報の様々な対話式ソースを意味する。複合対話式コンテンツは、対話式の本、雑誌、マニュアル、カタログ、並びに、他の現代の形の、情報の構造／提示及び情報との対話を含む。
【００１５】
ＣＩＣを表示することは、コンテンツのあらゆる要素を表示すること、全てのコンテンツの組織的構造を再現すること、及び、コンテンツとの対話式相互作用を提供することを意味する。
【００１６】
ＣＩＣを編集することは、デバイス中に、及び／又はデバイスに接続された外部メディア担体中に配置された一定のマルチメディアリソース間の対話に必要な、全ての必要機能を提供すること、並びに、全てのマルチメディアリソース複合体構造を提供することを意味する。
【００１７】
ＣＩＣを生み出すことは、一定のマルチメディアリソース及びその複合体を生成して、その後で複合対話式コンテンツを得るために編集することを可能にする、全ての必要な機能及びデバイスコンポーネントを提供することを意味する。
【課題を解決するための手段】
【００１８】
示された課題は、ヒンジ接続された２つの部分を有するユニットをこの電子ブックが備えることによって解決される。２つの部分のうちの一方の内側には、電子ペーパ技術に従って設計された、情報を配置するための第１のモニタ（Ａ）がある。第２の部分の内側には、抵抗性ＴＦＴモニタの技術に従って設計された、マルチメディア情報を再生する第２のモニタ（Ｂ）が配置される。ユニットの、内側に第１のモニタ（Ａ）のある第１の部分はまた、電力供給源（１）と、電話無線ネットワークのための少なくとも１つの受信モジュール（８）とを備える。ユニットの、内側に第２のモニタ（Ｂ）のある第２の部分は、少なくとも１つの周辺デバイスとのデータ交換のための少なくとも１つのインタフェース（２）と、マイクロプロセッサ（３）と、ユニットの部分間の対話を整理するためのデバイス（チップセット）（４）と、メインメモリユニット（５）と、加速度ゲージ（６）と、対応する１つの受信モジュールに対する少なくとも１つのインタフェースとの信号送受信ステーション（７）とを備える。このステーションは、電話無線ネットワークによって交換される信号、及び／又は衛星ネットワークの信号に対応するように設計されている。この他に、電子ブックは、内部カメラ（９）と、ＬＥＤフラッシュ付き前部カメラ（１０）と、ラウドスピーカ（１１）と、マイクロホン（１２）と、モニタ上の情報を別々に制御するための、両方のユニット部分上に位置するキー（１３、１４）と、容量性モジュール（Ｃ）と、容量性モジュール制御インタフェース（Ｄ）とを備える。さらに、内部カメラ（９）、容量性モジュール（Ｃ）、及び容量性モジュール制御インタフェース（Ｄ）は、ユニットの第１の部分の内部に位置し、ＬＥＤフラッシュ付き前部カメラは、第２のユニット部分の内部に位置し、ラウドスピーカ（１１）及びマイクロホン（１２）は、ユニットの２つの部分のヒンジ接続（１５）中に配置される。
【００１９】
好ましい方式では、ヒンジ接続は、ユニットの部分の相互位置が９０度、１８０度、２７０度、及び３６０度に変更されるようにする。
【００２０】
上述した範囲の一般的な特徴によってもたらされる追加の技術的結果は、必要な又は渡された情報を素早く見つけることができること、並びに、その抽出が単純であることにある。
【図面の簡単な説明】
【００２１】
【図１】平面図
【図２】立体図
【考案を実施するための形態】
【００２２】
電子ブックは、接続された２つの可動部分を有する軸を備える。可動ヒンジ接続が、これらの部分の相互位置が９０度、１８０度、２７０度、及び３６０度に変更されるようにする（図２）。
【００２３】
ユニットの部分のうちの一方の内側には、電子ペーパ技術に従って作られた、テキスト及びグラフィック情報を配置するための第１のモニタ（Ａ）（図１）と、電源（１）とがある。
【００２４】
ユニットの他方の部分の内側には、マルチメディア情報を表示する、カラー画面を有するモニタ（Ｂ）と、周辺デバイスからの受信データを受信及び記憶する働きをする、少なくとも１つの周辺デバイスとのデータ交換のための少なくとも１つのインタフェース（２）と、マイクロプロセッサ（３）と、ユニットの部分間の対話を整理するためのデバイス（チップセット）（４）と、メインメモリユニット（５）と、加速度ゲージ（６）とがある。
【００２５】
ユニットの第１の部分のモニタ（Ａ）は、電子ペーパ技術によって設計され、モニタ（Ａ）には、容量性タッチセンシティブ画面としての機能をこのモニタに提供する容量性モジュール（Ｃ）が備わる。ユニットの第１の部分にはまた、容量性モジュール制御インタフェース（Ｄ）が備わる。電子ペーパ技術と容量性タッチセンシティブ画面技術との組合せにより、スタイラス制御及び強制フィンガキー制御のための条件を生み出すことができる。
【００２６】
ユニットの第２の部分のモニタ（Ｂ）は、抵抗性ＴＦＴディスプレイの技術によって設計され、これにより、同時のタッチセンシティブ／フィンガキー制御及びスタイラス制御を実現することができる。
【００２７】
モニタ寸法は、標準的な印刷された本のページの寸法に対応する（対角線１０インチ以上）。これにより、デバイスを従来の「紙」の本として快適に使用することが保証される。
【００２８】
この他に、電子ブックデバイスは、対応する１つの受信モジュールに対する少なくとも１つのインタフェースとの、無線ネットワークを介した信号送受信のためのステーション（７）と、電話ネットワークのための少なくとも１つの受信モジュール（８）とを備える。ステーションは、電話無線ネットワークを介して交換される信号、及び／又は衛星ネットワーク信号に対応するように設計されている。電子ブックはまた、２つのカメラ、すなわち、ユニットの第１の部分に位置する内部カメラ（９）と、ＬＥＤフラッシュが備わりユニットの第２の部分に位置する前部カメラ（１０）とを備える。ユニットの２つの部分のヒンジ接続中には、ラウドスピーカ（１１）及びマイクロホン（１２）がある。各ユニット部分には、モニタ上の情報を別々に制御するためのキー（１３、１４）が備わる。
【００２９】
タッチセンシティブ画面は、制御デバイスとなるように設計される。ユニットの各部分のモニタ（Ａ及びＢ）は、この入力デバイスによって供給を受ける。各モニタ（Ａ及びＢ）上で、情報入力及びデバイス制御を、仮想キーボード及びスタイラスによって行うことができる。第１の部分のモニタ（Ａ）上で、スタイラスによって手書きテキスト入力が行われる。手書きテキスト入力を快適に使用するために、モニタには、容量性モジュール制御のインタフェース（Ｄ）が備わり、スタイラスによって書いている過程では容量性モジュール（Ｃ）をオフにすることができる。これにより、画面に手が触れても画面は反応しないことが保証される。このことは、ユーザがタイプ入力中に手を画面上に自由に置くことが要求される、大きなテキストの手書き入力の場合に、特に重要である。情報の印刷入力使用のために、容量性モジュール制御インタフェース（Ｄ）は、容量性モジュール（Ｃ）をアクティブ状態に移行させること、及び、表示装置（Ａ）上で仮想キーボード機能を提供することを可能にする。
【００３０】
各部分との制御調整デバイス（４）と、加速度ゲージ（６）とがあることにより、容量性モジュール（Ｃ）がアクティブ体制にある間にモニタ（Ｂ）を必要な位置の方に向けることができる。したがって、仮想キーボード表示装置（Ｂ）及び電子ブック使用の人間工学的条件が可能である。
【００３１】
ユニットの第２の部分のタッチセンシティブモニタ（Ｂ）は、手指とスタイラスとによるマルチメディア情報入力及び制御を同時に提供することを可能にする。また、対話タイプの情報を扱っている間に完全なマルチタッチ機能を使用することを可能にする。
【００３２】
他の電子ブックと比較した、請求する電子ブックの利点は、以下のことが可能であることにある。
１）外部ソース（外部データ媒体、インターネット）の検索と、再生と、任意の対話式情報ソースとの対話式調整とを含めた機能をデバイスの各部分の間で分けて、複合対話式コンテンツ（様々なテキスト、マルチメディア、及び対話式情報を提示する、本、雑誌、マニュアル、カタログなど）を本格的に扱うことを実現することができる。
２）編集ツール（種々のマルチメディア情報要素を外部データ媒体からデバイスに配置すること、及び、これらの要素間の対話）を介して、並びに、デバイス自体のツール（２通りのテキスト情報入力（手書き及び印刷）、写真やオーディオビデオ情報などをデバイス自体の中で生成すること、及びこれらの間の接続の整理）を介して、複合対話式コンテンツを助けなしに生み出すための全ての必要な機能を供給することができる。
３）現代のデバイスの最も一般的な特徴、すなわち可搬性、経済性、及び自足性を提供することができる。
【００３３】
可搬性の品質は、以下のような、デバイスの構成上の利点によって実現される。
−デバイスを閉じた位置で２つのモニタが保護された状態にあり、デバイスを開いた位置でモニタがコンパクトな位置にあるようにするヒンジ接続の存在。
−従来の「紙」の本の寸法に適うデバイス寸法の使用。
−固定した電力供給源がない場合にデバイス機能を提供できるようにする、電力要素の存在及び位置。
【００３４】
経済性の品質は、デバイスの表示装置（Ａ）に電子ペーパ技術を使用することによって実現される。
【００３５】
自足性の品質は、複合対話式コンテンツの入出力及び再生の全てのコンポーネントがデバイス自体の中にあることによって実現される。すなわち以下のとおりである。
−２通りのデバイス制御及び情報入力（スタイラス及び／又は仮想キーボードによる）を提供するコンポーネントの存在。
−マルチメディア情報表示のためのコンポーネント（抵抗性ＴＦＴディスプレイ技術によって設計されたモニタ（Ｂ）と、ラウドスピーカ）の存在。
−マルチメディア情報生成のためのコンポーネント（フォトビデオカメラ、マイクロホン）の存在。
【符号の説明】
【００３６】
Ａ−電子ペーパ技術により設計された第１のモニタ
Ｂ−抵抗性ＴＦＴディスプレイ技術により設計された第２のモニタ
Ｃ−容量性モジュール
Ｄ−容量性モジュール制御インタフェース
１−電力供給源
２−データ交換インタフェース
３−マイクロプロセッサ
４−ユニットの部分の対話を整理するためのデバイス（チップセット）
５−メインメモリユニット
６−加速度ゲージ
７−信号送受信ステーション
８−電話無線ネットワークのための受信モジュール
９−内部カメラ
１０−ＬＥＤフラッシュ付き前部カメラ
１１−ラウドスピーカ
１２−マイクロホン
１３−モニタＡ上の情報を別々に制御するためのキー
１４−モニタＢ上の情報を別々に制御するためのキー
１５−可動ヒンジ接続